(57)【要約】【課題】  エレベータ制御装置との接続作業が不要でありながら、停止階を特定可能な監視カメラを提供すること。【解決手段】  移動体内の気圧を検出する気圧検出手段と、移動体が位置する高度と気圧とを対応づけたテーブルを記憶する記憶手段と、テーブルを気圧検出手段での検出結果で更新する更新手段と、移動体が停止しているか否かを判定する判定手段と、を備え、更新手段は前記判定手段が移動体が停止していると判定した場合にテーブルを更新することを特徴とする。【選択図】  図１
2017149547.tif 000002
【特許請求の範囲】
【請求項１】
移動体内を撮像する撮像装置であって、
前記移動体内の気圧を検出する気圧検出手段と、
移動体が位置する高度と気圧とを対応づけたテーブルを記憶する記憶手段と、
前記テーブルを前記気圧検出手段での検出結果で更新する更新手段と、
前記移動体の動作状態を判定する判定手段と、
を備え、
前記更新手段は前記判定手段の前記移動体の動作状態の判定結果に基づいて前記テーブルを更新することを特徴とする撮像装置。
【請求項２】
前記動作状態には少なくとも前記移動体が停止している状態が含まれ、
前記判定手段は前記気圧検出手段の検出結果の変化量に基づいて停止しているか否かを判定することを特徴とする請求項１記載の撮像装置。
【請求項３】
前記移動体に設けられている扉部が開放しているか否かを検出する扉検出手段を更に備え、
前記判定手段は前記扉検出手段の検出結果に基づいて停止しているか否かを判定することを特徴とする請求項２に記載の撮像装置。
【請求項４】
前記更新手段は前記扉検出手段の検出結果に基づいて扉部が開放または閉鎖されたと検出された場合に前記テーブルを更新することを特徴とする請求項３に記載の撮像装置。
【請求項５】
前記気圧検出手段による検出結果と前記テーブルとに基づいて、前記移動体の高度を決定する決定手段と、
前記移動体内を撮像した映像データを配信する配信手段と、
前記決定手段の決定結果と前記配信手段で配信される映像データとの対応付けを行うデータ制御手段と
を更に備えることを特徴とする請求項１乃至４のいずれか１項に記載の撮像装置。
【請求項６】
前記移動体内部の人物を検出する人物検出手段を更に備え、
前記データ制御手段は前記人物検出手段の検出結果に基づいて、前記決定手段の決定結果と前記配信手段で配信される映像データとの対応付けを行うか否かを制御することを特徴とする請求項５に記載の撮像装置。
【請求項７】
前記データ制御手段は映像データに関連付けられたメタデータに前記決定手段の決定結果を書き込むことを特徴とする請求項５または６に記載の撮像装置。
【請求項８】
ネットワーク経由で外部装置と通信するための通信手段をさらに備え、
前記通信手段を用いて前記移動体が位置する高度に関する情報を外部装置に送信することを特徴とする請求項１乃至７のいずれか１項に記載の撮像装置。
【請求項９】
ネットワーク経由で外部の気圧に関する情報を受信する受信手段を更に備え、
前記更新手段は前記受信手段で受信した前記気圧に関する情報に基づいて前記記憶手段に記憶されているテーブルを更新することを特徴とする請求項１乃至８のいずれか１項に記載の撮像装置。
【発明の詳細な説明】
【技術分野】
【０００１】
本発明は、撮像装置に関し、特にエレベータの内部に設置される撮像装置に関するものである。
【背景技術】
【０００２】
防犯などの目的で、エレベータの内部に監視カメラ等の撮像装置を設置する事例が増えている。この場合、監視カメラの映像に加えて、監視対象の人物が乗降した階を特定することは、監視者にとって、有益である。
【０００３】
従来、エレベータの内部に設置された監視カメラの映像のみでは、どの階で停止しているかが分からないため、エレベータを制御する制御装置と組み合わせる場合があった。例えば、特許文献１では、エレベータの内部に設置された監視カメラと、エレベータ制御装置とを接続し、監視対象の人物が乗降した階を特定する技術が開示されている。
【先行技術文献】
【特許文献】
【０００４】
【特許文献１】特開２００２‐２３４６７６号公報
【発明の概要】
【発明が解決しようとする課題】
【０００５】
しかしながら、上述の特許文献に開示された従来技術では、監視カメラと、エレベータ制御装置との接続作業が必要であるため、設置にかかるコスト等が増大してしまうという課題があった。
【０００６】
そこで、本発明の目的は、エレベータ制御装置との接続作業が不要でありながら、停止階を特定可能な監視カメラを提供することである。
【課題を解決するための手段】
【０００７】
上記目的を達成するために、本発明は、移動体内を撮像する撮像装置であって、前記移動体内の気圧を検出する気圧検出手段と、
移動体が位置する高度と気圧とを対応づけたテーブルを記憶する記憶手段と、
前記テーブルを前記気圧検出手段での検出結果で更新する更新手段と、前記移動体が停止しているか否かを判定する判定手段と、を備え、前記更新手段は前記判定手段が前記移動体が停止していると判定した場合に前記テーブルを更新することを特徴とする。
【発明の効果】
【０００８】
本発明によれば、エレベータ制御装置との接続作業が不要でありながら、停止階を特定可能な監視カメラを提供することができる。
【図面の簡単な説明】
【０００９】
【図１】本実施例の撮像装置の構成を含むネットワーク構成図である。
【図２】本発明の実施形態にかかわる監視装置の内部構成図である。
【図３】メモリ１０４に記憶されているテーブルを示す図である。
【図４】テーブル設定時の模式図である。
【図５】制御部１０３の動作を示すフローチャートである。
【図６】メモリ１０４に記憶されているテーブル示す図である。
【図７】制御部１０３の動作を示すフローチャートである。
【図８】映像から扉の開閉を検出してテーブルを更新することを説明する図である。
【図９】ネットワーク通信に関して説明する図である。
【発明を実施するための形態】
【００１０】
以下に、本発明の実施形態について、図面を参照しながら詳細に説明する。以下に、本発明の好ましい実施の形態を、添付の図面に基づいて詳細に説明する。
【００１１】
なお、以下の実施例において示す構成は一例に過ぎず、本発明は、図示された構成に限定されるものではない。
【００１２】
（実施例１）
以下に、図１を参照して本実施例に係るネットワーク構成について説明する。
【００１３】
図１（ａ）の１０００は、本発明の１つの実施形態である撮像装置を示す図である。１１０１はレンズを含む筐体であり、１１０２は天井方向から吊り下げパン方向及びチルト方向に設置時に設置場所及び撮影画角に合わせて方向を決定できるアーム機構である。
【００１４】
図１（ｂ）は、撮像装置１０００を含むシステム構成図である。２０００は、本発明における外部機器を示すクライアント装置である。撮像装置１０００とクライアント装置２０００は、ＩＰネットワーク網１５００を介して相互に通信可能な状態に接続されている。クライアント装置２０００は、撮像装置１０００に対して、後述する撮像パラメータ変更、映像ストリーミング開始等の各種コマンドを送信する。撮像装置１０００は、それらのコマンドに対するレスポンスや映像ストリーミングをクライアント装置２０００に送信する。
【００１５】
なお、本実施例における撮像装置１０００は、ネットワーク経由で外部装置と通信する画像処理装置の一例であり、例えば動画像を撮像する監視カメラである。より詳細には、監視に用いられるネットワークカメラであるものとする。
【００１６】
また、ＩＰネットワーク網１５００は、例えばＥｔｈｅｒｎｅｔ（登録商標）等の通信規格を満足する複数のルータ、スイッチ、ケーブル等から構成されるものとする。しかしながら、本実施例においては、撮像装置１０００とクライアント装置２０００との間の通信を行うことができるものであれば、その通信規格、規模、構成を問わない。
【００１７】
例えば、ＩＰネットワーク網１５００は、インターネットや有線ＬＡＮ（Ｌｏｃａｌ  Ａｒｅａ  Ｎｅｔｗｏｒｋ）、無線ＬＡＮ（Ｗｉｒｅｌｅｓｓ  ＬＡＮ）、ＷＡＮ（Ｗｉｄｅ  Ａｒｅａ  Ｎｅｔｗｏｒｋ）等により構成されていても良い。また、ネットワーク上にクラウドを介する構成としてもより。なお、本実施例における撮像装置１０００は、例えば、ＰｏＥ（Ｐｏｗｅｒ  Ｏｖｅｒ  Ｅｔｈｅｒｎｅｔ（登録商標））に対応していても良く、ＬＡＮケーブルを介して電力を供給されても良い。
【００１８】
また、本実施例におけるクライアント装置２０００は、ＰＣやスマートフォン等の外部装置の一例である。内部構成として不図示のＵＩ等を表示するための表示手段、キーボードやタッチパネル等の入力手段、撮像装置１０００から取得した画像を記録する記録手段等を備える。また、本実施例における監視システムは、撮像システムに相当する。
【００１９】
以下において、本発明の実施形態では、撮像装置１０００は、５階建ての建物内に設置されたエレベータ内部に取り付けられているとして説明を行う。
【００２０】
以下に図２を参照して、本実施例に係る撮像装置１０００の構成について説明する。撮像される被写体からの光線はレンズ１０１を介して入力されイメージセンサ１０２において被写体像として結像される。そして、イメージセンサ１０２は被写体像を撮像して映像信号として出力する。レンズ１０１は制御部１０３によって、絞りを変化させたり、フォーカス位置を調整しピントを合わせたり、赤外線カットフィルターの挿抜したり等の制御処理が行われる。イメージセンサ１０２は不図示のＡＤ変換部や所定の画像補正部を備え、撮像された映像信号は適切に処理されて制御部１０３に入力される。
【００２１】
制御部１０３はＣＰＵを含み、撮像装置１０００の各構成要素を統括的に制御及び各種パラメータ等の設定を行う。また、メモリ１０４は、データを電気的に消去可能なメモリ等を含み、制御部１０３はこれに記憶されたプログラムを実行する。なお、メモリ１０４は、制御部１０３が実行するプログラム格納領域、プログラム実行中のワーク領域、データの格納領域等として使用される。加えて、メモリ１０４は撮像装置１０００が撮像する画像や、後述する気圧センサの出力結果である気圧とエレベータの階情報を対応づけたテーブルを記憶している。
【００２２】
また、気圧センサ１０５は撮像装置１０００が設置されているエレベータ中の気圧を取得するための気圧センサである。エレベータの昇降動作に応じて、測定した気圧を測定結果として制御部１０３に出力する。制御部１０３は気圧センサ１０５から入力される測定結果とメモリ１０４に保存されている気圧と階情報を対応づけたテーブルを参照し現在の階数を判定する。本参照動作の詳細に関しては図５を用いて詳述する。なお、本実施例の気圧センサ１０５は気圧検出部に相当する。
【００２３】
制御部１０３は通信部を備え、クライアント装置２０００からの画像に対する各種設定の指示や、被写体像に対する露出制御の指示や、符号化に関する指示等の設定コマンドを含む制御コマンドを受信する。画像に対する設定コマンドは制御部１０３によって解析される。また同時にメモリ１０４に画像設定情報が記憶され、起動時にメモリ１０４に記憶されている画像設定情報に従って制御部１０３から各構成要素に対して設定が行われる。さらに、制御部１０３は、接続されたネットワーク１５００へ、映像データ等の配信を行う。
【００２４】
また、制御部１０３は符号化部を備え、通信部で受信した符号化に対する設定コマンドに含まれる符号化設定情報に従い圧縮符号化等を行う。上記符号化設定情報には、例えば、符号化方式や画像サイズや画像の回転あるいは画像の解像度に関する指定情報も含まれる。また、符号化設定情報には、画像中に文字等を重畳する指示情報等も含まれる。なお、画像中に文字等を重畳する動作は制御部１０３に含まれる重畳手段等が行うことが可能である。
【００２５】
また、制御部１０３は検出部を備え、イメージセンサ１０２からの映像信号を取得するとともに、人物や物体の検出等の、映像に対する処理を実行する。
【００２６】
図３に、メモリ１０４に記憶されている気圧と高度情報を対応づけたテーブルの内容の例を示す。メモリ１０４には、高度情報（１Ｆ、２Ｆなどの階数等）と気圧センサの値とを対応づけられて記憶される。なお、高度情報は階数ではなく高さ（メートル）でもよいし、複数の階をまとめて表記してもよい。
【００２７】
より具体的には、１Ｆの気圧は１０２０．００ｈＰａと対応づけられている。２Ｆの気圧は１０２０．３３ｈＰａと対応づけられている。３Ｆの気圧は１０２０．６６ｈＰａと対応づけられている。４Ｆの気圧は１０２０．９９ｈＰａと対応づけられている。５Ｆの気圧は１０２１．３３ｈＰａと対応づけられている。
【００２８】
本テーブルは、撮像装置１０００をエレベータに設置したときに、初期設定値として設置業者等によって作成されることが好ましい。この初期設定動作に関して、図４を用いて説明する。４００は撮像装置１０００が設置されているエレベータである。４０１は撮像装置１０００を設置する設置業者であり、４０２は撮像装置１０００の画角やアカウント情報等の初期設定値を設定するための設定装置である。一例として、タブレットやスマートフォン等のモバイル機器である。撮像装置１０００と設置装置４０２はＵＳＢケーブルや同軸ケーブル等の有線接続又は無線ＬＡＮやＢｌｕｅｔｏｏｔｈ（登録商標）等の無線接続を経由して接続されている。また、設置装置４０２は自身に気圧センサを備えていてもよい。
【００２９】
設置業者はエレベータが停止している現在の階情報を設置装置４０２経由で撮像装置１０００に設定値として入力する。制御部１０３は、階情報が入力された後に気圧センサ１０５から現在の気圧を取得する。そして、設置装置４０２より入力された階情報と共にメモリ１０４のテーブルに設定する。本動作を各階ごとに実施することで、全ての階におけるテーブルを取得することができる。なお、設置装置４０２より入力された階以外の気圧値を、実際に測定せずに一律の値（０．３３ｈＰａ等）を加算して求めてもよいし、２以上の階の気圧を測定し、その間の値を算出するようにしてもよい。このようにすることで、設置時間を短縮することができる。また、本実施例においては、設置装置４０２から階情報を入力するようにしたが、これに限られるものではない。例えば、特定の階（１Ｆ等）に気圧センサを設置し、その値を基にメモリ１０４に記憶さているテーブルを作成・更新してもよい。
【００３０】
なお、気圧センサの値は所定の気圧範囲を含むようにしてもよいし、階間の値は上の階又は下の階とみなすようにしてもよい。具体的には、１Ｆ気圧の１０２０．００ｈＰａと、２Ｆ気圧の１０２０．３３ｈＰａの間の値は１Ｆとみなすようにしてもよい。なお、本テーブルは設置業者等によって作成されない場合は、クライアント装置２０００等を操作しエレベータを各階に停止させた後に気圧を測定し、手動でテーブルを作成することも可能である。この際には、クライアント装置２０００のユーザーインターフェース等を用いて、現在停止している階情報を入手することが望ましい。
【００３１】
また、気圧は気候によって常に変化するため、テーブルを、適宜更新（補正）する必要がある。その補正方法について、図５に示したフローチャートを用いて説明する。なお、本動作は制御部１０３が実行する。
【００３２】
ステップＳ３０１において、制御部１０３は、補正動作を開始する。そして、処理をステップＳ３０２に進める。
【００３３】
ステップＳ３０２において、制御部１０３は、撮像装置１０００が設置されているエレベータが停止しているか否かを判定する。停止していると判定した場合は、処理をステップＳ３０３へ進める。本実施例においては、エレベータが停止しているかどうかは、変化量が所定値以下かどうかによって判定する。より詳細には、制御部１０３は、気圧センサの出力を所定の間隔で複数回サンプリングを行う。そして、そのサンプリング中における気圧の変化量を取得する。取得した変化量とメモリ１０４に保存してある閾値とを比較することで停止の判定を行う。この様に、気候変化に伴う気圧変動は、エレベータの動作に伴う気圧変動に比べて、非常に緩やかであることを利用し判定を行う。例えば、１秒あたりの変化量が、０．３３ｈＰａ以下であれば、エレベータが停止していると判定する。また、判定に用いる閾値は適宜変更してもよい。例えば、気圧センサの種類、階数、季節、時刻、天候等によって変更してもよい。また、本実施例ではエレベータが停止している動作状態を判別したがこれに限られるものではない、例えば特定の階に移動した場合等の動作状態を判別してもよい。
【００３４】
ステップＳ３０３において、制御部１０３は、エレベータが停止していると判断すると、気圧センサ１０５から出力される値と、メモリ１０４に記憶されたテーブルを比較し、現在の停止階を決定する。そして、処理をステップＳ３０４に進める。例えば、気圧センサ１０５から出力される値が、１０２０．０３ｈＰａであった場合は、テーブルに記憶されている値のうちで、１０２０．０３ｈＰａに最も近い「１Ｆ」が停止階であると決定する。なお、決定した後は、映像に決定結果である「１Ｆ」を示す画像を重畳して配信したり、メタデータに特定時間と共に記憶したりと、映像と停止階を対応付ける動作を行う。なお、本実施例において、制御部１０３は決定した決定結果である階情報と映像データの対応付けを行うデータ制御部に相当する。
【００３５】
ステップＳ３０４において、制御部１０３は、メモリ１０４に記憶されているテーブルをステップＳ３０３で取得した値を用いて更新する。より詳細には、テーブルに記憶されている１Ｆの気圧値は、１０２０．００ｈＰａであり、気圧センサ１０５によって、現在、所得された値は、１０２０．０３ｈＰａであるとする。この場合は、差分である０．０３ｈＰａが、気候変化に伴う気圧変動であると判断する。そこで、ＣＰＵ１０３は、差分の０．０３ｈＰａを補正するため、ＥＥＰＲＯＭ１０４に記憶されているテーブルを、図６のように更新する。先ず、１Ｆの気圧値を１０２０．００ｈＰａから、１０２０．０３ｈＰａに更新する。続いて、２Ｆ〜５Ｆの気圧値に対しても、差分の０．０３ｈＰａを加算して値を補正する。エレベータは全ての階に、定期的に止まるとは限らないため、長い間停止しない階が存在する。この動作によって、気候変動によって、その階に対応するテーブルに記憶された気圧値が、現実の気圧値と大きく乖離する場合を防止することができる。そして、処理をステップＳ３０５に進める。
【００３６】
なお、本実施例において０．０３ｈＰａの差分に対して気圧変動であると判断したが、この値は一例にすぎず、状況に応じて適宜変化させてもよい。例えば、前回のテーブル更新時からのどの程度の時間が経過したかや、差分量に応じて変化させてもよいし。頻繁に更新される場合には閾値を上げることで、不要な処理負荷等を下げることができる。また、差分に対して、すべての値を用いてテーブルを更新するのではなく、例えば差分の１０％程度をテーブルの更新用として用いてもよい。この場合、複数の更新によって、本来の値に近づくこととなり、気圧センサの検出時のノイズ等の影響を抑えることができる。また、更新動作は所定の間隔で繰り返し実施することが望ましいが、エレベータが長期停止している場合や夜間等は更新間隔を長くとるように変更してもよい。更新頻度を下げることで、不要時に省電力を実現することができる。また、加速度検出部や振動検出部を設け、エレベータが動作する際の振動を直接検出し、この検出結果も用いて停止の判断を行ってもよい。気圧センサの値と組み合わせることで、停止の判断精度を高めることが可能となる。
【００３７】
ステップＳ３０５において、制御部１０３は、エレベータが動作したかどうかを判定する。動作したと判定した場合は、ステップＳ３０２に処理を戻し、動作していないと判定した場合は、ステップＳ３０３に処理を戻す。ここで、動作したかどうかは、気圧センサの変化量が所定値以上かどうかによって判断する。例えば、１秒あたりの変化量が、０．１０ｈＰａ以上であれば、エレベータが動作していると判断する。なお、本実施例のようにステップＳ３０２での停止の判断閾値とステップＳ３０５での判断閾値はヒステリシスを持って設定されることが好ましい。
【００３８】
以上、図５をもとに説明を行った補正方法によって、気候変動に伴う気圧の変動があった場合にも、適切にテーブルを補正することができる。
【００３９】
なお、本発明のように現在の停止階の情報を画像に重畳する動作は、監視対象の人物の移動経路を特定するという観点で有用である。一方で、エレベータ内に人物がいない場合は、停止階を示す情報は不必要であり、制御１０３の処理負荷が無駄となる場合もある。そこで、制御部１０３に備えられている検出部によって、エレベータ内に人物等が検出された場合にのみ、図５に示した処理を実行してもよい。また、この場合に映像に階情報を付与して配信を行うようにしてもよい。このことによって配信負荷が軽減されるためより好ましい。以下、本処理に関して図７のフローチャートを用いて詳細に説明する。なお、本動作は制御部１０３が実行する。
【００４０】
ステップＳ７０１において、制御部１０３は、検出動作を開始する。そして、処理をステップＳ７０２に進める。
【００４１】
ステップＳ７０２において、制御部１０３は、撮像装置１０００が設置されているエレベータ内において、撮像される画像中に人物が含まれているかを検出する。人物の検出は制御部１０３内に含まれる検出部が実行する。そして、処理をステップＳ７０３に進める。
【００４２】
ステップＳ７０３において、制御部１０３は、ステップＳ７０２において検出した人物をメモリ１０４内等に記憶されているデータベースに含まれるか否かを検索する。本データベースには画像やメタデータに階情報を付与すべき対象となる人物の特徴等が登録されている。その後、処理をステップＳ７０４に進める。なお、本データベースはメモリ１０４内が記憶していなくてもよく、ネットワーク１５００上の記憶装置内に記憶させておいてもよい。
【００４３】
ステップＳ７０４において、制御部１０３は、ステップＳ７０３での検索結果からステップＳ７０２で検出した人物が対象人物か否かを判定する。画像中に含まれる人物の情報とデータベースの特徴とを比較することで、画像に階情報を付与すべきか否かを判断することが可能となる。対象人物であった場合は、処理をステップＳ７０５へ進め、対象人物ではなかった場合は、処理をステップＳ７０２に戻す。
【００４４】
ステップＳ７０５において、制御部１０３は、画像に階情報を付与する処理を行う。この処理を行うことによって、特定の人物がどの階からエレベータに乗り、どの階で降りたのかを監視者が判断することが可能となる。なお、本実施例において、制御部１０３は、エレベータ等の移動体内部の人物を検出するための人物検出部に相当する。
【００４５】
また、本実施例においては適宜テーブルを更新する動作を示したが、これに限られるものではない。事前にメモリ１０４に複数のテーブルを記憶しておき、気圧センサ１０５で測定した気圧からどのテーブルを使用するかを切換えるようにしてもよい。
【００４６】
また、エレベータが所定の期間使用されない場合にホーム設定された階に自動的に停止する場合がある。このホーム設定を監視カメラに設定しておけば、ホーム設定された階に自動停止する条件が満たされた後であれば、気圧と階数を容易に関連付けることが可能となる。なお、ホーム設定に関しては、メモリ１０４に保持するようにすることが好ましい。
【００４７】
（実施例２）
以上、本発明の実施例に関する説明を行ったが、図５のステップＳ３０２及びステップＳ３０５における，エレベータの停止／動作の判断方法については、気圧センサの変化量に基づく方法のみならず、種々の変更が可能である。以下、撮像装置１０００が撮影した映像をもとに、エレベータの停止／動作の判断を行う動作に関して説明する。
【００４８】
なお、撮像装置１０００の構成は実施例１と同様であり、またその他の構成で実施例１と同様の構成に関してはその説明を省略する。
【００４９】
映像をもとに判定する一例として、エレベータの扉部が映像に映っているとき、その扉が開放されているか否かで判定することが挙げられる。当然ながら、扉が開放している場合にエレベータは停止している。そこで、ステップＳ３０２又はステップＳ３０５において、制御部１０３が気圧センサの値より停止と判定した後に、映像に対する判定を開始する動作を行う。そして、取得した映像において検出部によって映扉が開放されていることが映像から検出された場合に、エレベータが停止していると判断することが可能である。なお、本実施例において制御部１０３は扉部が開放しているか否かを検出する扉検出部に相当する。
【００５０】
また、エレベータの現在位置を示すエレベータに備え付けられたインジケータ等が画像中に含まれる場合には、その表示や点灯を基に動作や停止判断してもよいし、インジケータに基づいてテーブルを更新してもよい。また、扉が開いた際の床の模様等に基づいて階数を判定してもよい。また、夜間や長期停止するエレベータにおいて、照明が消灯する場合にはそれを映像より検出して、テーブルの更新間隔等を変更するようにしてもよい。具体的には、消灯している場合にはエレベータは動作する可能性が少ないために、テーブルの更新動作のみを行い、更に更新間隔を長くする変更を行う。
【００５１】
（実施例３）
図５のフローチャートを用いて説明した、テーブルの補正方法では、エレベータが停止している間は、テーブルを常に更新する構成となっている。しかし、メモリ１０４の書き換え回数には上限がある場合がある。このような場合には、テーブルの更新頻度を下げることが好ましい。以下、図７を用いて本実施例におけるテーブルの更新動作に関して説明する。なお、撮像装置１０００の構成は実施例１と同様である。
【００５２】
本実施例の撮像装置１０００は、ステップＳ３０２又はステップＳ３０５において、扉が開放されたか又は閉められたかを検出して、それを基にテーブルの更新を行う。より詳細には、図６に示したように、扉が開放されたとき及び、扉が閉められたときにテーブルを更新する。そして、扉が閉鎖されるまでは更新を停止する。扉の開放と閉める動作は検出部によって検出する。
【００５３】
この方法を用いると、テーブルの更新回数が減少できるため、メモリの書き換え回数を減少でき、より好適である。
【００５４】
なお、メモリ１０４にＤＲＡＭ等の揮発メモリ部とフラッシュＲＯＭ等の不揮発メモリ部を持つ場合に、テーブルを揮発メモリ部に記憶し高頻度で更新し、所定の間隔で不揮発メモリ部にバックアップを取ることが望ましい。
【００５５】
また、夜間等でエレベータ自体の省電力等のために電源供給が断たれた場合に更新動作を行えない場合がある。このような場合に対応するために、電源共有が断たれる前に停止している階数をメモリ１０４の不揮発メモリ部に記憶することが好ましい。
【００５６】
（ネットワーク通信に係る実施例）
本発明に係る撮像装置１０００は、クライアント装置２０００とネットワーク経由１５００で接続されている。クライアント装置２０００はネットワーク１５００経由で撮像装置１０００を制御するための制御コマンドをネットワーク１５００経由で送信可能である。撮像装置１０００は受信した制御コマンド及び制御コマンドに含まれるパラメータに基づいて自身の制御を行う。そして、撮像装置１０００は制御コマンドを受信した場合、受信したコマンドに対するレスポンスをクライアント装置２０００に送信する。撮像装置１０００からのレスポンスを受けたクライアント装置２０００は、レスポンスに含まれる情報を基に、クライアント装置２０００に設けられた表示部等に表示されたユーザーインターフェースの内容を更新する。
【００５７】
ここで、撮像装置１０００とクライアント装置２０００の制御コマンドに係る通信に関して図９を用いて説明する。クライアント装置２０００と撮像装置１０００はリクエストとレスポンスの組み合わせであるトランザクションを用いて通信を行う。
【００５８】
まず、クライアント装置２０００は、トランザクションＳ１０００において、撮像装置１０００が保持する情報を取得するための情報要求リクエストを送信する。情報要求リクエストには、例えば、撮像装置１０００が有する機能等を問い合わせる要求を含ませることができる。ここで、撮像装置１０００の機能には、画像を圧縮符号化するパラメータ、画像補正機能、パンチルト機構の有無等が含まれる。また、撮像装置１０００の機能には、階情報を付与する機能に関する設定情報も含まれる。
【００５９】
そして、撮像装置１０００はこの情報要求リクエストに対する応答として、情報要求レスポンスを送信する。情報要求レスポンス内には、クライアント装置２０００から要求された撮像装置の機能に関する情報が含まれる。これらの情報を用いることによって、クライアント装置２０００は撮像装置１０００の機能を認識することが可能となる。
【００６０】
また、クライアント装置２０００は情報要求リクエストを用いて撮像装置１０００の状態も取得可能である。ここで、撮像装置１０００の状態には、現状の制御パラメータ、パンチルト機構の位置等が含まれる。また、撮像装置の状態として、現状の階情報等が含まれる。これらの情報を用いることによって、クライアント装置２０００は撮像装置１０００の状態を認識することが可能となる。
【００６１】
また、クライアント装置は、トランザクションＳ１１００において、撮像装置に対して各種パラメータ等の設定を行うための設定リクエストを送信する。設定リクエストには、事前にトランザクションＳ１０００にて取得した撮像装置１０００の機能または状態を考慮して行われる。例えば、設定リクエストによって設定可能な一例として、画像を圧縮符号化するパラメータの設定、画像補正機能の設定、パンチルト機構の動作等がある。
【００６２】
そして、撮像装置１０００はこの設定リクエストに対する応答として設定レスポンスを送信する。設定レスポンス内には、クライアント装置２０００から設定された撮像装置の機能等に関して正常設定がなされたか否か等の情報が含まれる。これらの情報を用いることによって、クライアント装置２０００は撮像装置１０００の状態を認識することが可能となる。
【００６３】
また、撮像装置１０００は、クライアント装置２０００からの設定に基づいて、定期的または所定のイベントをトリガーとして、トランザクションＳ１２００において定期通知をクライアント装置に対して送信する。定期通知には情報要求レスポンスに含まれる内容として現在の階情報等が含まれる。これらの情報を用いることによって、クライアント装置２０００は撮像装置１０００の状態を認識することが可能となる。具体的には、クライアント装置２０００において、現在の階数を知りたい場合に、撮像装置１０００に問い合わせることで知ることが可能となる。なお、階数に関する情報は撮像装置１０００が配信する画像データに関するメタデータ等に記載するようにしてもよい。
【００６４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００６５】
以上、本発明の好ましい実施形態について説明したが、本発明はこれらの実施形態に限定されず、その要旨の範囲内で種々の変形及び変更が可能である。また、本実施例においては、撮像装置１０００がエレベータに設置された場合について記載したが、車両やロープウェイ等の移動体内を撮像する撮像装置であれば、本発明を適用することで同様の効果を得ることができる。
【符号の説明】
【００６６】
１０１  レンズ
１０２  イメージセンサ
１０３  制御部
１０４  メモリ
１０５  気圧センサ
１０００  撮像装置
【図１】
2017149547.tif 000003
【図２】
2017149547.tif 000004
【図３】
2017149547.tif 000005
【図４】
2017149547.tif 000006
【図５】
2017149547.tif 000007
【図６】
2017149547.tif 000008
【図７】
2017149547.tif 000009
【図８】
2017149547.tif 000010
【図９】
2017149547.tif 000011